(57)【要約】 【課題】「筋の共収縮」の原理を用いて、顔面の所定位置を刺激することで表情筋を活性化正常化して、顔面の表情改善を行うフェイスマスクを提供する。【解決手段】  顔面全体を覆う形状のマスク布部１１と、マスク布部１１を顔面に装着するために、マスク布部１１に連続して頭部に巻着する連結布部１２とを備えると共に、頭部巻着時に所定の表情筋部位を押圧刺激する押圧パッド（２１，２２，２３，・・・・）をマスク布部１１に設けてなる。【選択図】図１
2020005973.tif 000002
【特許請求の範囲】
【請求項１】
顔面全体を覆う形状のマスク布部と、マスク布部を顔面に装着するために、マスク布部に連続して頭部に巻着する連結布部とを備えると共に、頭部巻着時に所定の表情筋部位を押圧刺激する押圧パッドをマスク布部に設けてなることを特徴とするフェイスマスク。
【請求項２】
マスク布部及び連結布部を伸縮基布で形成すると共に、連結布部の端部に面ファスナで形成した着脱部を設けてなる請求項１記載のフェイスマスク。
【請求項３】
押圧パッドが、表情筋を構成する前頭筋下部、眼輪筋下部、頬骨筋、口角下制筋、オトガイ筋、咬筋、側頭筋等の筋の起部近位箇所と対応する複数個所に設けてなる請求項１又は２記載のフェイスマスク。
【請求項４】
連結布部に、頭部装着時に後頭筋を押圧刺激する位置に押圧パッドを設けてなる請求項１乃至３記載の何れかのフェイスマスク。
【発明の詳細な説明】
【技術分野】
【０００１】
本発明は、頭部（顔面部分も含む）に装着して適宜な刺激を加えることで身体の健全化を図るフェイスマスクに関するものである。
【背景技術】
【０００２】
またフェイスマスクと称されても顔面の筋肉に刺激を与えるものが知られている。例えば特許文献１には、鼻翼の「迎香」のツボを刺激する突起を備えたマスクが開示されている。また特許文献２には、弾性構造体のＶ字状帯形状の被覆体と、前記被覆体を吊持する帯状のヘアーバンド体で構成されるフェイスマスク用補助具が開示されている。
【先行技術文献】
【特許文献】
【０００３】
【特許文献１】特開２００３−１６４５３８号公報。
【特許文献２】特開２００９−９５５７４号公報。
【発明の概要】
【発明が解決しようとする課題】
【０００４】
また顔面への刺激手段として特定のツボの刺激（特許文献１）では筋肉に対する刺激（筋力トレーニング）とはならず、また顔に貼着したフェイスマスクの剥がれ落ち防止と共に、耳付近から顎までの表情筋を引き締める効果を奏する手段（特許文献２）も同様に単に筋肉を抑えつけているに過ぎなく筋肉に対する刺激による身体改善とはなっていない。
【０００５】
そこで本発明は、「筋の共収縮」の原理を用いて、所定位置を刺激することで顔面、首、肩に関わる筋群の弛緩、緊張を大きく増大させ、関節の可動域も大幅に拡大させ、充分な筋力トレーニングを無意識化に行なう頭部サポータを提案したものである。
【課題を解決するための手段】
【０００６】
本発明に係るフェイスマスクは、顔面全体を覆う形状のマスク布部と、マスク布部を顔面に装着するために、マスク布部に連続して頭部に巻着する連結布部とを備えると共に、頭部巻着時に所定の表情筋部位を押圧刺激する押圧パッドをマスク布部に設けてなることを特徴とするものである。
【０００７】
特に押圧パッドの形成位置を、表情筋を構成する前頭筋下部、眼輪筋下部、頬骨筋、口角下制筋、オトガイ筋、咬筋、側頭筋等の筋の起部近位箇所と対応する個所としたものである。
【０００８】
人体の表情筋の大半は起始が骨に付着し、皮膚で停止する。筋の過緊張が連続すると、筋は弾力を喪失し固まった筋は骨を引っ張り、骨の正位置を損なわせてしまう。所謂顔の歪みで、骨の正位置を失った筋は正常な働きを喪失する。筋が弾力を失うと、組織からの老廃物を排除する役割を果たすリンパの流れは停滞し、リンパの排出が正しく機能せず、顔面のむくみ、弛みが症状として発現する。
【０００９】
そこで筋肉へ外圧を加えることによって弛緩する性質、反対に関節をまたいで収縮する一方の筋が筋収縮緊張する性質或いは近隣して拮抗する筋肉が収縮緊張する性質、主動筋と拮抗筋共に外圧を加えると共収縮するという筋肉の原理（筋共収縮）に着目して、顔面における表情筋の特定箇所（筋の起部近位）を押圧することで、筋の共収縮を生じさせ、顔面の歪み、弛み、むくみ等を解消するようにしたものである。
【発明の効果】
【００１０】
本発明の構成は上記のとおり、顔面の所定位置を軽い力で押圧刺激する押圧パッドを備えたフェイスマスクで、当該押圧刺激によって表情筋群の弛緩、緊張を増大させて骨位置と筋の関係を安定させて筋の正常化を図り、顔面の表情改善を行うものである。
【図面の簡単な説明】
【００１１】
【図１】本発明の実施形態装着図。
【図２】同説明図（裏返し状態）。
【図３】同押圧パッドと筋群の対応表。
【図４】同効果確認データ表。
【発明を実施するための形態】
【００１２】
次に本発明の実施形態について説明する。実施形態に示したフェイスマスクは、伸縮基布１と、伸縮基布１に設けた複数の押圧パッドからなる押圧パッド部２で構成される。
【００１３】
伸縮基布１は、顔面を覆う形状に立体裁断・縫製されたマスク布部１１とマスク布部１１の左右に設けた連結布部１２で構成され、連結布部１２に面ファスナーで形成した連結部１３を設ける。また顔面に対応するように目孔部１４、鼻孔部１５を設けてなる。尚必要に応じ別途口孔部を設けるようにしても良い。
【００１４】
押圧パッド部２は、前記伸縮基布１の所定箇所（図３に示した表情筋と対応する位置）に幅８〜１０ｍｍ、長さ２４〜２６ｍｍの弾性素材（ポリエステル水着素材）を縫合して左右対称に形成した押圧パッド２１，２２，２３，２４，２５，２６，２７からなるものである。
【００１５】
また連結布部１２には、後頭部（後頭筋対応箇所）を押圧刺激する押圧パッド２８を設けてなる。
【００１６】
而してマスク布部１１で顔面全体を覆い、連結部１３を連結して連結布部１２を繋ぎ、頭部に巻着するもので、各押圧パッド２１，２２・・・・がそれぞれ所定の表情筋及び側頭筋、後頭筋を軽く押圧刺激する。
【００１７】
前記の押圧刺激で、表情筋、側頭筋、後頭筋への押圧刺激で相応の作用効果を奏することになる。即ち前述のとおり人体の表情筋の大半は起始が骨に付着し、皮膚で停止する。筋の過緊張が連続すると、筋は弾力を喪失し固まった筋は骨を引っ張り、骨の正位置を損なわせる。所謂顔の歪みで、骨の正位置を失った筋は正常な働きを喪失し、筋が弾力を失うと、組織からの老廃物を排除する役割を果たすリンパの流れが停滞する。リンパ流が正しく機能しないと、むくみ、弛みは顔面症状として現れ、また組織の新陳代謝が不活性となり肌はハリを失い、シミの原因ともなる。
【００１８】
そこで表情筋の過緊張、過弛嬢を解消すべく「筋共収縮」の筋の運動の原理を用いて、筋肉は関節分節の起部近位を一定の面積をもって適宜に押圧すると、筋は静止状態では指圧と同様の効果で弛緩するが、動作状態では筋共収縮によって強く働く。これは通常時の筋の弛緩、緊張の度合を瞬間的に著しく増大させることになり、筋の活性化を実現する。筋緊張の増大は筋の活性、成長が促され、筋本然の資を取り戻すところとなって、リンパに対してもポンプの役割をよく果し、顔面のむくみ、弛み、歪みが是正されることになる。
【００１９】
前記の効果を裏付けるために、本実施態様品における押圧パッド部２を顔面片側のみとしたフェイスマスクを１５分間装着し、１５分後に取り外した直後に、顔面の非対称性を計測した。計測対象は３０〜６０代の男性１３人及び女性２３人で行った。
【００２０】
その結果は図４に示す通りで、表情筋の変化が顔面に発現したものであり、相応の作用効果を奏することが確認された。
【符号の説明】
【００２１】
１      伸縮基布
１１    マスク布部
１２    連結布部
１３    連結部
１４    目孔部
１５    鼻孔部
２      押圧パッド部
２１，２２，２３，２４，２５，２６，２７，２８  押圧パッド
【図１】
2020005973.tif 000003
【図２】
2020005973.tif 000004
【図３】
2020005973.tif 000005
【図４】
2020005973.tif 000006